(57)【特許請求の範囲】
【請求項１】
第１基地局により、第１移動性管理エンティティＭＭＥにより送信される第２基地局ＩＤを受信し、及び前記第１基地局と前記第２基地局ＩＤに対応する第２基地局との間の送信チャネルを確立するステップと、
前記第１基地局により、第１端末から第２端末へ送信されるべきデータを受信するステップと、
前記第１基地局により、前記第２基地局が前記データを前記第２端末へ送信できるように、前記送信チャネルを介して前記第２基地局へ前記データを送信するステップと、
を含み、
前記送信チャネルは、公衆送信チャネル又は専用送信チャネルであり、
前記第１基地局により、前記第２基地局が前記データを前記第２端末へ送信できるように、前記送信チャネルを介して前記第２基地局へ前記データを送信する前記ステップは、
前記送信チャネルが公衆送信チャネルである場合、前記第１基地局により、前記第２基地局が前記データを前記第２端末へ送信できるように、前記送信チャネルを介して前記第２基地局へ前記データを送信するステップ、又は
前記送信チャネルが専用送信チャネルである場合、前記第１基地局により、前記送信チャネルのチャネル識別子を得て、及び前記第２基地局が前記データを前記第２端末へ送信できるように、前記チャネル識別子に対応する前記送信チャネルを介して前記第２基地局へ前記データを送信するステップ、
を含む、通信方法。
【請求項２】
前記第１基地局と前記第２基地局ＩＤに対応する第２基地局との間で送信チャネルを確立する前記ステップは、
前記第１基地局により、前記第２基地局ＩＤを伝達する経路検出メッセージを近隣基地局にブロードキャストするステップと、
前記第１基地局により、前記近隣基地局により送信される応答メッセージを受信し、及び前記応答メッセージに従い前記第２基地局への送信経路を決定するステップであって、前記応答メッセージは、チャネルのリンク品質情報、及び／又は前記第１基地局から前記第２基地局へのリンクの合計ホップ数に関する情報、を伝達する、ステップと、
前記第１基地局により、前記決定された送信経路に基づき、前記第１基地局と前記第２基地局との間の前記送信チャネルを確立するステップと、
を含む、請求項１に記載の方法。
【請求項３】
通信方法であって、前記方法は、
第１移動性管理エンティティＭＭＥにより、第２端末にサービスを提供する第２基地局の第２基地局ＩＤを得るステップと、
前記第１ＭＭＥにより、第１基地局が前記第１基地局と前記第２基地局ＩＤに対応する前記第２基地局との間の送信チャネルを確立できるように、前記第２基地局ＩＤを前記第１基地局へ送信するステップであって、前記送信チャネルは、第１端末から前記第２端末へ送信されるべきデータを受信すると、前記第２基地局が前記データを前記第２端末へ送信できるように、前記第２基地局へ前記データを送信するために前記第１基地局により使用される、ステップと、
を含み、
第１ＭＭＥにより、第２端末にサービスを提供する第２基地局の第２基地局ＩＤを得る前記ステップは、
前記第１ＭＭＥにより、前記第２端末にサービスを提供する第２ＭＭＥによりインターネットプロトコル・マルチメディア・サブシステムＩＭＳサーバを使用することにより送信される第２基地局ＩＤ情報を受信するステップ、
を含む、方法。
【請求項４】
通信方法であって、前記方法は、
第１移動性管理エンティティＭＭＥにより、第２端末にサービスを提供する第２基地局の第２基地局ＩＤを得るステップと、
前記第１ＭＭＥにより、第１基地局が前記第１基地局と前記第２基地局ＩＤに対応する前記第２基地局との間の送信チャネルを確立できるように、前記第２基地局ＩＤを前記第１基地局へ送信するステップであって、前記送信チャネルは、第１端末から前記第２端末へ送信されるべきデータを受信すると、前記第２基地局が前記データを前記第２端末へ送信できるように、前記第２基地局へ前記データを送信するために前記第１基地局により使用される、ステップと、
を含み、
第１ＭＭＥにより、第２端末にサービスを提供する第２基地局の第２基地局ＩＤを得る前記ステップは、
前記第１ＭＭＥにより、前記第２端末にサービスを提供する第２ＭＭＥによりＩＭＳサーバを使用することにより送信されるグローバルにユニークな一時識別子ＧＵＴＩ情報を受信し、及び前記ＧＵＴＩ情報に対応する前記第２ＭＭＥへ情報取得要求を送信するステップと、
前記第１ＭＭＥにより、前記第２ＭＭＥにより送信される第２基地局ＩＤ情報を受信するステップと、
を含む、方法。
【請求項５】
基地局であって、前記基地局は、
第１移動性管理エンティティＭＭＥにより送信される第２基地局ＩＤを受信するよう構成される受信モジュールと、
前記基地局と前記第２基地局ＩＤに対応する第２基地局との間の送信チャネルを確立するよう構成される確立モジュールと、
ここで、前記受信モジュールは、第１端末から第２端末へ送信されるべきデータを受信するよう更に構成され、
前記第２基地局が前記第２端末へ前記データを送信できるように、前記送信チャネルを介して前記第２基地局へ前記データを送信するよう構成される送信モジュールと、
を有し、
前記送信チャネルは、公衆送信チャネル又は専用送信チャネルであり、
前記送信モジュールは、
前記送信チャネルが公衆送信チャネルである場合、前記第２基地局が前記データを前記第２端末へ送信できるように、前記送信チャネルを介して前記第２基地局へ前記データを送信し、又は
前記送信チャネルが専用送信チャネルである場合、前記送信チャネルのチャネル識別子を得て、前記第２基地局が前記データを前記第２端末へ送信できるように、前記チャネル識別子に対応する前記送信チャネルを介して、前記第２基地局へ前記データを送信する、
よう構成される、基地局。
【請求項６】
前記送信モジュールは、前記第２基地局ＩＤを伝達する経路検出メッセージを近隣基地局にブロードキャストするよう更に構成され、
前記受信モジュールは、前記近隣基地局により送信される応答メッセージを受信し、及び前記応答メッセージに従い前記第２基地局への送信経路を決定するよう更に構成され、前記応答メッセージは、チャネルのリンク品質情報、及び／又は前記基地局から前記第２基地局へのリンクの合計ホップ数に関する情報、を伝達し、
前記確立モジュールは、前記決定された送信経路に基づき、前記基地局と前記第２基地局との間の前記送信チャネルを確立するよう構成される、
請求項５に記載の基地局。
【請求項７】
ＭＭＥであって、前記ＭＭＥは、
第２端末にサービスを提供する第２基地局の第２基地局ＩＤを得るよう構成される取得モジュールと、
第１基地局が前記第１基地局と前記第２基地局ＩＤに対応する前記第２基地局との間の送信チャネルを確立できるように、前記第２基地局ＩＤを前記第１基地局へ送信するよう構成される送信モジュールであって、前記送信チャネルは、第１端末から前記第２端末へ送信されるべきデータを受信すると、前記第２基地局へ前記データを送信するために前記第１基地局により使用される、送信モジュールと、
を有し、
前記ＭＭＥは、前記第２端末にサービスを提供する第２ＭＭＥによりＩＭＳサーバを使用することにより送信される第２基地局ＩＤ情報を受信するよう構成される受信モジュールを更に有し、
前記取得モジュールは、前記第２基地局ＩＤ情報から前記第２基地局ＩＤを取得するよう構成される、
ＭＭＥ。
【請求項８】
ＭＭＥであって、前記ＭＭＥは、
第２端末にサービスを提供する第２基地局の第２基地局ＩＤを得るよう構成される取得モジュールと、
第１基地局が前記第１基地局と前記第２基地局ＩＤに対応する前記第２基地局との間の送信チャネルを確立できるように、前記第２基地局ＩＤを前記第１基地局へ送信するよう構成される送信モジュールであって、前記送信チャネルは、第１端末から前記第２端末へ送信されるべきデータを受信すると、前記第２基地局へ前記データを送信するために前記第１基地局により使用される、送信モジュールと、
を有し、
前記ＭＭＥは、前記第２端末にサービスを提供する第２ＭＭＥによりＩＭＳサーバを使用することにより送信されるグローバルにユニークな一時識別子ＧＵＴＩ情報を受信するよう構成される受信モジュールを更に有し、
前記送信モジュールは、前記ＧＵＴＩ情報に対応する前記第２ＭＭＥへ情報取得要求を送信するよう更に構成され、
前記受信モジュールは、前記第２ＭＭＥにより送信される第２基地局ＩＤ情報を受信するよう更に構成され、
前記取得モジュールは、前記第２基地局ＩＤ情報から前記第２基地局ＩＤを得るよう構成される、
ＭＭＥ。
【発明の詳細な説明】
【技術分野】
【０００１】
本発明は、通信技術の分野に関し、特に通信方法及び装置に関する。
【背景技術】
【０００２】
ロングタームエボリューション（Long  Term  Evolution：ＬＴＥ）システムアーキテクチャは、主に、アクセスネットワーク及びコアネットワークを含む。アクセスネットワークは、主に基地局を含み、コアネットワークは、主に移動性管理エンティティ（Mobility  Management  Entity：ＭＭＥ）、サービングゲートウェイ（Serving  Gateway：Ｓ−ＧＷ）、及びパケットデータネットワークゲートウェイ（Packet  Data  Network  Gateway：Ｐ−ＧＷ）を含む。端末間の無線通信は、ＬＴＥシステムアーキテクチャを使用することにより実施できる。
【０００３】
図１に示すように、ユーザが目標ユーザと通信を開始するとき、ユーザは、第１端末を用いて、第１基地局、第１Ｓ−ＧＷ（第１ＭＭＥが属するＳ−ＧＷ）、及び第１Ｐ−ＧＷ（第１Ｓ−ＧＷが属するＰ−ＧＷ）を使用することにより、ＩＭＳ（Internet  Protocol  Multimedia  Subsystem、インターネットプロトコル・マルチメディア・サブシステム）へ通信要求を送信して良い。ＩＭＳは、通信要求をパースし、通信目標が第２端末であることを知る。次に、ＩＭＳは、第２ＰＣＲＦ（Policy  and  Charging  Rules  Function、ポリシ及び課金ルール機能）（第２Ｐ−ＧＷが属するＰＣＲＦ）にコマンド命令を送信し、第２Ｐ−ＧＷ（第２端末にサービスを提供するＰ−ＧＷ）から第２Ｓ−ＧＷ（第２端末にサービスを提供するＳ−ＧＷ）へ、第２Ｓ−ＧＷから第２基地局（第２端末がアタッチされている基地局）へ、及び第２基地局から第２端末への専用データ送信チャネルを確立するために、対応するサービスのベアラ設定をトリガするようＰＣＲＦに要求する。同時に、ＩＭＳは、第１ＰＣＲＦ（第１Ｐ−ＧＷが属するＰＣＲＦ）にコマンド命令を送信し、第１Ｐ−ＧＷ（第１端末にサービスを提供するＰ−ＧＷ）から第１Ｓ−ＧＷ（第１端末にサービスを提供するＳ−ＧＷ）へ、第１Ｓ−ＧＷから第１基地局（第１端末がアタッチされている基地局）へ、及び第１基地局から第１端末への専用データ送信チャネルを確立するために、対応するサービスのベアラ設定をトリガするようＰＣＲＦに要求する。専用データ送信チャネルは、第１端末と第２端末との間で交換される通信データを送信するために使用される。
【０００４】
従来技術は、少なくとも以下の欠点を有する。
【０００５】
概して、２つの端末が前述の方法を用いることにより互いに通信するとき、通信データは、第１基地局、第１Ｓ−ＧＷ、第１Ｐ−ＧＷ、ＩＭＳ、第２Ｐ−ＧＷ、及び第２Ｓ−ＧＷを通過した後にのみ、第２端末へ送信され得る。したがって、端末間に比較的長い通信遅延がある。
【発明の概要】
【０００６】
従来の問題を解決するために、本発明の実施形態は、通信方法及び装置を提供する。技術的ソリューションは以下の通りである。
【０００７】
第１の態様によると、通信方法が提供され、当該方法は、第１基地局により、第１移動性管理エンティティＭＭＥにより送信される第２基地局ＩＤを受信し、及び前記第１基地局と前記第２基地局ＩＤに対応する第２基地局との間の送信チャネルを確立するステップと、前記第１基地局により、前記第１端末から第２端末へ送信されるべきデータを受信するステップと、前記第１基地局により、前記第２基地局が前記データを前記第２端末へ送信できるように、前記送信チャネルを介して前記第２基地局へ前記データを送信するステップと、を含む。
【０００８】
第１の態様に関し、第１の態様の第１の可能な実装方法では、前記第１基地局と前記第２基地局ＩＤに対応する第２基地局との間で送信チャネルを確立する前記ステップは、前記第１基地局により、前記第２基地局ＩＤを伝達する経路検出メッセージを近隣基地局にブロードキャストするステップと、前記第１基地局により、前記近隣基地局により送信される応答メッセージを受信し、及び前記応答メッセージに従い前記第２基地局への送信経路を決定するステップであって、前記応答メッセージは、チャネルのリンク品質情報、及び／又は前記第１基地局から前記第２基地局へのリンクの合計ホップ数に関する情報、を伝達する、ステップと、前記第１基地局により、前記決定された送信経路に基づき、前記第１基地局と前記第２基地局との間の前記送信チャネルを確立するステップと、を含む。
【０００９】
第１の態様に関し、第１の態様の第２の可能な実装方法では、前記送信チャネルは、公衆送信チャネル又は専用送信チャネルであり、前記第１基地局により、前記第２基地局が前記データを前記第２端末へ送信できるように、前記送信チャネルを介して前記第２基地局へ前記データを送信する前記ステップは、前記送信チャネルが公衆送信チャネルである場合、前記第１基地局により、前記第２基地局が前記データを前記第２端末へ送信できるように、前記送信チャネルを介して前記第２基地局へ前記データを送信するステップ、又は前記送信チャネルが専用送信チャネルである場合、前記第１基地局により、前記第２基地局が前記データを前記第２端末へ送信できるように、前記送信チャネルのチャネル識別子を得て、及び前記チャネル識別子に対応する前記送信チャネルを介して前記第２基地局へ前記データを送信するステップ、を含む。
【００１０】
第２の態様によると、通信方法が提供され、前記方法は、第１移動性管理エンティティＭＭＥにより、第２端末にサービスを提供する第２基地局の第２基地局ＩＤを得るステップと、前記第１ＭＭＥにより、第１基地局が前記第１基地局と前記第２基地局ＩＤに対応する前記第２基地局との間の送信チャネルを確立できるように、前記第２基地局ＩＤを前記第１基地局へ送信するステップであって、前記送信チャネルは、前記第１端末から前記第２端末へ送信されるべきデータを受信すると、前記第２基地局が前記データを前記第２端末へ送信できるように、前記第２基地局へ前記データを送信するために前記第１基地局により使用される、ステップと、を含む。
【００１１】
第２の態様を参照して、第２の態様の第１の可能な実装方法では、第１ＭＭＥにより、第２端末にサービスを提供する第２基地局の第２基地局ＩＤを得る前記ステップは、前記第１ＭＭＥにより、前記第２端末にサービスを提供する第２ＭＭＥによりインターネットプロトコル・マルチメディア・サブシステムＩＭＳサーバを使用することにより送信される第２基地局ＩＤ情報を受信するステップ、を含む。
【００１２】
第２の態様を参照して、第２の態様の第２の可能な実装方法では、第１ＭＭＥにより、第２端末にサービスを提供する第２基地局の第２基地局ＩＤを得る前記ステップは、前記第１ＭＭＥにより、前記第２端末にサービスを提供する第２ＭＭＥによりＩＭＳサーバを使用することにより送信されるグローバルにユニークな一時識別子ＧＵＴＩ情報を受信し、及び前記ＧＵＴＩ情報に対応する前記第２ＭＭＥへ情報取得要求を送信するステップと、前記第１ＭＭＥにより、前記第２ＭＭＥにより送信される第２基地局ＩＤ情報を受信するステップと、を含む。
【００１３】
第３の態様によると、基地局が提供され、前記基地局は、第１移動性管理エンティティＭＭＥにより送信される第２基地局ＩＤ情報を受信するよう構成される受信モジュールと、前記基地局と前記第２基地局ＩＤに対応する第２基地局との間の送信チャネルを確立するよう構成される確立モジュールと、ここで、前記受信モジュールは、前記第１端末から第２端末へ送信されるべきデータを受信するよう更に構成され、前記第２基地局が前記第２端末へ前記データを送信できるように、前記送信チャネルを介して前記第２基地局へ前記データを送信するよう構成される送信モジュールと、を有する。
【００１４】
第３の態様を参照して、第３の態様の第１の可能な実装方法では、前記送信モジュールは、前記第２基地局ＩＤを伝達する経路検出メッセージを近隣基地局にブロードキャストするよう更に構成され、前記受信モジュールは、前記近隣基地局により送信される応答メッセージを受信し、及び前記応答メッセージに従い前記第２基地局への送信経路を決定するよう更に構成され、前記応答メッセージは、チャネルのリンク品質情報、及び／又は前記第１基地局から前記第２基地局へのリンクの合計ホップ数に関する情報、を伝達し、前記確立モジュールは、具体的には、前記決定された送信経路に基づき、前記基地局と前記第２基地局との間の前記送信チャネルを確立するよう構成される。
【００１５】
第３の態様を参照して、第３の態様の第２の可能な実装方法では、前記送信チャネルは、公衆送信チャネル又は専用送信チャネルであり、前記送信モジュールは、具体的には、前記送信チャネルが公衆送信チャネルである場合、前記第２基地局が前記データを前記第２端末へ送信できるように、前記送信チャネルを介して前記第２基地局へ前記データを送信し、又は前記送信チャネルが専用送信チャネルである場合、前記送信チャネルのチャネル識別情報を得て、前記第２基地局が前記データを前記第２端末へ送信できるように、前記チャネル識別情報に対応する前記送信チャネルを介して、前記第２基地局へ前記データを送信する、よう構成される。
【００１６】
第４の態様によると、ＭＭＥが提供され、前記ＭＭＥは、第２端末にサービスを提供する第２基地局の第２基地局ＩＤを得るよう構成される取得モジュールと、第１基地局が前記第１基地局と前記第２基地局ＩＤに対応する前記第２基地局との間の送信チャネルを確立できるように、前記第２基地局ＩＤを前記第１基地局へ送信するよう構成される送信モジュールであって、前記送信チャネルは、前記第１端末から前記第２端末へ送信されるべきデータを受信すると、前記第２基地局へ前記データを送信するために前記第１基地局により使用される、送信モジュールと、を有する。
【００１７】
第４の態様を参照して、第４の態様の第１の可能な実装方法では、前記ＭＭＥは、前記第２端末にサービスを提供する第２ＭＭＥによりＩＭＳサーバを使用することにより送信される第２基地局ＩＤ情報を受信するよう構成される受信モジュールを更に有し、前記取得モジュールは、具体的には、前記第２基地局ＩＤ情報から前記第２基地局ＩＤを取得するよう構成される。
【００１８】
第４の態様を参照して、第４の態様の第２の可能な実装方法では、前記ＭＭＥは、前記第２端末にサービスを提供する第２ＭＭＥによりＩＭＳサーバを使用することにより送信されるグローバルにユニークな一時識別子ＧＵＴＩ情報を受信するよう構成される受信モジュールを更に有し、前記送信モジュールは、前記ＧＵＴＩ情報に対応する前記第２ＭＭＥへ情報取得要求を送信するよう更に構成され、前記受信モジュールは、前記第２ＭＭＥにより送信される第２基地局ＩＤ情報を受信するよう更に構成され、前記取得モジュールは、具体的には、前記第２基地局ＩＤ情報から前記第２基地局ＩＤを得るよう構成される。
【００１９】
本発明の実施形態により提供される技術的ソリューションは、以下の有利な効果をもたらす。
【００２０】
本発明の本実施形態では、第１ＭＭＥにより送信される第２基地局ＩＤを受信すると、第１基地局は、第１基地局と第２基地局との間の送信チャネルを確立する。第１端末により送信されるデータを受信すると、第１基地局は、送信チャネルを介して第２端末へ該データを直接送信でき、もはやコアネットワーク（Ｓ−ＧＷ及びＰ−ＧＷ）を使用することによりデータを送信する必要がない。したがって、端末間の通信に及ぼされる影響が低減される。
【図面の簡単な説明】
【００２１】
本発明の実施形態の技術的解決策をより明確に記載するために、実施形態を説明するのに必要な添付の図面を以下に簡単に説明する。明らかなことに、以下の説明中の添付の図面は、本発明のほんの一部の実施形態であり、これらの図面に従って当業者により創造的労力を有しないで他の図面も得られる。
【図１】本発明の実施形態による通信方法のフローチャートである。
【図２】本発明の実施形態による通信方法のフローチャートである。
【図３】本発明の実施形態による通信方法のフローチャートである。
【図４】本発明の実施形態による通信方法のフローチャートである。
【図５】本発明の一実施形態による基地局の概略構造図である。
【図６】本発明の一実施形態によるＭＭＥの概略構造図である。
【図７】本発明の一実施形態による基地局の概略構造図である。
【図８】本発明の一実施形態によるＭＭＥの概略構造図である。
【発明を実施するための形態】
【００２２】
本発明の目的、技術的解決策、及び利点を一層明らかにするために、以下に、本発明の実施形態を、添付の図面を参照して以下に詳述する。
【００２３】
実施形態１
本発明の本実施形態は、通信方法を提供する。図２に示すように、方法は、第１基地局により実行されて良い。第１基地局は、第１端末にサービスを提供する基地局である。方法の処理手順は、以下のステップを含んで良い。
【００２４】
ステップ２０１：第１基地局は、第１移動性管理エンティティＭＭＥにより送信される第２基地局ＩＤを受信し、第１基地局と第２基地局ＩＤに対応する第２基地局との間の送信チャネルを確立する。
【００２５】
任意で、本発明の本実施形態では、第１基地局は、第１端末により送信される通信要求を受信し、及びＩＭＳサーバへ該通信要求を送信して良い。
【００２６】
ＩＭＳは、呼制御及びサービス制御のためのシグナリングとしてＳＩＰ（Session  Initiation  Protocol、セッション開始プロトコル）を使用し及び主にセッション管理において使用されるＩＰマルチメディアサブシステムを表す。第１端末は、無線通信機能を有する任意の端末、例えば携帯電話であって良い。
【００２７】
実施中、例えば、第１端末は、第２端末とのＶＯＩＰ（Voice  over  Internet  Protocol、ボイスオーバインターネットプロトコル）サービス通信を実行する。ユーザは、第１端末を使用することによりＩＰ呼を発して良く、ユーザは第２端末の第２端末ＩＤを入力する。例えば、第２端末は携帯電話であり、第２端末ＩＤは携帯電話番号であって良い。番号がダイヤルされた後、第１端末は、ユーザにより入力された第２端末ＩＤを得て、通信要求を生成する。第１端末は、通信要求をＩＭＳサーバへ送信し、通信要求は、第２端末ＩＤ情報及び通信サービス種類を伝達する。ＩＭＳサーバは、通信要求をパースし、通信目標が第２端末であることを識別し、コアネットワークから第２端末への送信チャネルの確立及びコアネットワークから第１端末への送信チャネルの確立をトリガする。送信チャネルは、第１端末と第２端末との間で交換されるデータを送信するために使用される。
【００２８】
実施中、第２基地局ＩＤを受信した後に、第１基地局は、経路発見メカニズムを開始し、第２基地局ＩＤに対応する第２基地局への送信経路を決定する。前述の処理は具体的には次の通りである。第１基地局は、第２基地局ＩＤを伝達するブロードキャストメッセージを送信する。受信基地局が、ブロードキャストメッセージの中で伝達される第２基地局ＩＤが受信基地局自身又は受信基地局の近隣基地局を示すことを発見すると、受信基地局は、第１基地局へ応答メッセージを返す。応答メッセージは、受信基地局のＩＤ、及び第２基地局へのリンクの品質及び／又は該リンクが通過する基地局の数を伝達して、第１基地局が送信経路を選択できるようにする。第１基地局は、受信した応答メッセージに従い第２基地局への送信経路を決定し、送信経路上で第１基地局と第２基地局との間の送信チャネルを確立する。
【００２９】
近隣基地局は、別の基地局からの距離が所定距離範囲内にある基地局である。基地局は、自身の近隣基地局の基地局ＩＤを予め記録して良い。
【００３０】
任意で、第１ＭＭＥにより送信される第２基地局ＩＤを受信した後、第１基地局は、第１基地局の近隣基地局が第２基地局ＩＤに対応する第２基地局を含むか否かを決定する。第１基地局の近隣基地局が第２基地局を含む場合、第１基地局は、第１基地局と第２基地局との間の直接送信チャネルを確立するために、第２基地局への直接接続通信経路を確立して良い。相応して、前述のステップ２０１における第１基地局と第２基地局ＩＤに対応する第２基地局との間の送信チャネルを確立する処理手順は、以下のステップを含んで良い。
【００３１】
ステップ１：第１基地局は、第２基地局へチャネル確立要求を送信する。
【００３２】
チャネル確立要求は、ＩＰアドレス及びチャネルポート番号のような、第１基地局により割り当てられるトランスポートレイヤチャネル識別子を伝達する。
【００３３】
ステップ２：第２基地局により送信されるチャネル確立応答を受信すると、第１基地局は、第１基地局と第２基地局ＩＤに対応する第２基地局との間に送信チャネルを確立する。
【００３４】
チャネル確立応答は、ＩＰアドレス及びチャネルポート番号のような、第２基地局により割り当てられるトランスポートレイヤチャネル識別子を伝達する。
【００３５】
実施中、チャネル確立要求を受信すると、第２基地局は、トランスポートレイヤチャネル識別子を、第１端末と第２端末との間で実行される必要のある（通信サービス又はネットワークデータサービスのような）サービスに割り当て、チャネル確立応答を使用することにより該チャネル識別子を第１基地局へ送信して良い。チャネル確立応答を受信した後、第１基地局は、第２基地局により割り当てられた取得したトランスポートレイヤチャネル識別子に従い、第２基地局へのデータ送信を実行して良い。
【００３６】
任意で、第２基地局及び第２基地局が近隣基地局ではない場合、マルチホップ方法が更に使用されて良い。つまり、近隣基地局が第２基地局を探索し、第１基地局と第２基地局との間の送信チャネルは、探索された送信経路に基づき確立される。相応して、前述のステップ２０１における第１基地局と第２基地局ＩＤに対応する第２基地局との間の送信チャネルを確立する処理手順は、以下のステップを含んで良い。
【００３７】
ステップ１：第１基地局は、近隣基地局へ、第２基地局ＩＤを伝達する経路検出メッセージをブロードキャストする。
【００３８】
実施中、各々の基地局は、該基地局の近隣基地局の基地局ＩＤを記録する。第２基地局ＩＤ情報を受信すると、第１基地局は、周囲の近隣基地局へ、第２基地局ＩＤを伝達する経路検出メッセージをブロードキャストする。
【００３９】
ステップ２：第１基地局は、近隣基地局により送信される応答メッセージを受信し、応答メッセージに従い第２基地局への送信経路を決定する。
【００４０】
応答メッセージは、以下の情報、例えば、チャネルのリンク品質情報、及び／又は第１基地局から第２基地局へのリンクの合計ホップ数に関する情報、のうちの１又は複数を伝達して良い。チャネルのリンク品質情報は、信号強度、チャネルの信号対雑音比、等を含んで良く、合計ホップ数に関する情報は、第１基地局により第２基地局へ送信される信号が通過する基地局の数、等を含んで良い。
【００４１】
実施中、各々の近隣基地局が経路検出メッセージを受信すると、近隣基地局が、第２基地局は近隣基地局自身又は自身の周囲の近隣ではないことを発見した場合、近隣基地局は、１つの基地局が第２基地局は該基地局自身又は自身の周囲の近隣基地局であることを発見するまで、経路検出メッセージを周囲の基地局へブロードキャストし続ける。この場合、ステップ２で前述の方法が依然として使用され、応答メッセージは第１基地局へ返される。第１基地局は、受信した応答メッセージに従い、第２基地局への送信経路を決定する。例えば、チャネル信号強度が最強であり及び第１基地局から第２基地局へのリンクの合計ホップ数が最小である送信経路が、第２基地局への送信経路として使用されて良い。
【００４２】
ステップ３：第１基地局は、決定された送信経路に基づき、第１基地局と第２基地局との間の送信チャネルを確立する。
【００４３】
実施中、第１基地局は、送信経路上にある近隣基地局の基地局ＩＤを決定して良く、近隣基地局を使用することにより、第２基地局へチャネル確立要求を送信する。チャネル確立要求を受信した後、第２基地局は、トランスポートレイヤチャネル識別子を割り当て、応答メッセージを使用することにより近隣基地局へチャネル識別子を返す。第２基地局により割り当てられたトランスポートレイヤチャネル識別子を受信した後、近隣基地局は、近隣基地局から第２基地局への送信経路を確立し、近隣基地局自身のトランスポートレイヤチャネル識別子を割り当て、該チャネル識別子を応答メッセージを使用することにより第１基地局へ返す。近隣基地局により割り当てられたトランスポートレイヤチャネル識別子を受信した後、第１基地局は、第１基地局から近隣基地局への送信経路を確立し、それにより、送信経路上で第１基地局と第２基地局との間の送信チャネルを確立する目的を達成する。
【００４４】
任意で、第１基地局が決定された送信経路に基づき第１基地局と第２基地局との間の送信チャネルを確立する前述のステップ３の処理手順は、以下のステップを含んで良い。
【００４５】
ステップ１：第１基地局は、決定された送信経路を介して、第２基地局へチャネル確立要求を送信する。
【００４６】
ステップ２：第３基地局により送信されるチャネル確立応答を受信すると、第１基地局は、決定された送信経路に基づき、第１基地局と第２基地局との間に送信チャネルを確立する。
【００４７】
第３基地局は、第１基地局に記録されている及び送信経路上にある近隣基地局である。
【００４８】
前述のステップ１及びステップ２の処理手順について、前述の関連する内容及び従来技術ソリューションが参照されて良く、詳細事項はここで繰り返し記載されない。
【００４９】
前述のステップ２０１において第１基地局と第２基地局ＩＤに対応する第２基地局との間に確立された送信チャネルは、様々な種類であって良い。以上は、第１基地局と第２基地局との間で確立され得る、以下を含み得る２種類の送信チャネルを提供した。
【００５０】
タイプ１：第１基地局は、第２基地局との公衆送信チャネルを確立する。つまり、同じＱｏＳ（Quality  of  Service：サービス品質）であり及び異なる端末のサービスが、公衆送信チャネルで送信されて良い。公衆送信チャネルで送信されているデータがどの目標端末に属するかを更に識別するよう第２基地局を助けるために、現在のＧＴＰ（General  Data  Transfer  Platform、汎用データ転送プラットフォーム）プロトコルは、変更される必要がある。つまり、第２端末の第２端末ＩＤがＧＴＰヘッダフィールドに追加される。
【００５１】
タイプ２：第１基地局は、第２基地局との専用送信チャネルを確立する。つまり、対応する端末の特定サービスのデータのみが、この専用送信チャネルで送信され得る。したがって、第２基地局は、異なる端末の異なるサービスに異なるチャネル識別子を割り当てる必要があり、第１基地局へチャネル識別子を送信する。例えば、第１端末がサービス要求を開始する処理の中で、第２基地局は、第１基地局へチャネル識別子を送信して良い。あるいは、第１基地局は、第２基地局ＩＤを取得した後に、第２基地局へ要求を直接送信して良く、第２基地局は応答メッセージを使用することにより第１基地局へチャネル識別子を送信する。
【００５２】
任意で、トリガ条件は、第１基地局と第２基地局との間の送信チャネルを確立する処理の間に設定されて良い。例えば、第１基地局と第２基地局との間の送信チャネルを確立する処理を実行するよう第１基地局をトリガするために、第１ＭＭＥは第２基地局ＩＤを第１基地局へ送信する。
【００５３】
ステップ２０２：第１基地局は、第１端末から第２端末へ送信されるべきデータを受信する。
【００５４】
実施中、第１端末は、ユーザにより入力されるデータを受信し、受信したデータを第１基地局へ送信して良い。第１基地局は、該データを受信して良い。
【００５５】
ステップ２０３：第２基地局がデータを第２端末へ送信できるように、第１基地局は、送信チャネルを介して第２基地局へデータを送信する。
【００５６】
実施中、第１基地局が、第１端末が第２端末へ送信するデータを受信すると、第１基地局は、決定された送信経路上に確立された送信チャネルを介して第２基地局へ該データを送信して良い。データを受信すると、第２基地局は第２端末へデータを送信し、目標ユーザは第２端末からデータを得ることができる。
【００５７】
任意で、送信チャネルが公衆送信チャネルである場合、第１基地局は、第２端末ＩＤを伝達し第１端末により送信されるデータを受信し、該データを決定された送信経路を介して第２基地局へ送信して、第２基地局が該データを第２端末ＩＤに対応する第２端末へ送信できるようにする。送信チャネルが専用送信チャネルである場合、第１基地局は、チャネル識別子を取得する。該チャネル識別子は、第１端末から第２端末へ送信されるべきデータを受信するとチャネル識別子に対応する送信チャネルを介して第２の基地局へデータを送信するために第１基地局により使用され、第２基地局が第２端末へ通信データを送信できるようにする。
【００５８】
本発明の本実施形態では、第１ＭＭＥにより送信される第２基地局ＩＤを受信すると、第１基地局は、第１基地局と第２基地局との間の送信チャネルを確立する。第１端末により送信されるデータを受信すると、第１基地局は、送信チャネルを介して第２端末へ該データを直接送信でき、もはやコアネットワーク（Ｓ−ＧＷ及びＰ−ＧＷ）を使用することによりデータを送信する必要がない。したがって、端末間の通信に対する遅延の影響が低減される。
【００５９】
実施形態２
本発明の本実施形態は、通信方法を提供する。図３に示すように、方法は、第１ＭＭＥにより実行されて良い。第１ＭＭＥは、第１端末にサービスを提供するＭＭＥであり、第１基地局は、第１端末にサービスを提供する基地局である。方法の処理手順は、以下のステップを含んで良い。
【００６０】
ステップ３０１：第１移動性管理エンティティＭＭＥは、第２端末にサービスを提供する第２基地局の第２基地局ＩＤを得る。
【００６１】
第２基地局は、第２端末にサービスを提供する基地局であり、第２基地局ＩＤは、第２基地局の基地局ＩＤ（IDentity、アイデンティティ）であって良い。
【００６２】
実施中、従来技術が依然として使用される。第１端末は、ＩＭＳサーバへ通信要求を送信する。ＩＭＳサーバは、通信要求をパースし、通信目標が第２端末であることを識別し、コアネットワークから第２端末へのデータ送信チャネルの確立及びコアネットワークから第１端末へのデータ送信チャネルの確立をトリガする。コアネットワークから第２端末への目標データ送信チャネルを確立する処理において、第２端末にサービスを提供するＭＭＥは、第２端末の関連情報、例えば、第２端末にサービスを提供する第２基地局のＩＤ情報、又は第２基地局が第２端末に割り当てるＩＤ情報ＧＵＴＩを取得して良い。したがって、本実施形態では、第２端末にサービスを提供するＭＭＥは、ＩＭＳサーバを使用することにより、取得した第２端末の関連情報を第１ＭＭＥへ更に転送する必要がある。
【００６３】
任意で、第１ＭＭＥが第２基地局ＩＤを取得する様々な処理方法があり得る。以下は、以下を含み得る２つの任意的な処理方法を提供する。
【００６４】
方法１：第１ＭＭＥは、第２端末にサービスを提供する第２ＭＭＥによりＩＭＳサーバを使用することにより送信される第２基地局ＩＤ情報を受信する。
【００６５】
実施中、第２端末にサービスを提供するＭＭＥは、第２端末にサービスを提供する第２基地局のＩＤ情報を、ＩＭＳサーバを使用することにより第１ＭＭＥへ直接転送する。
【００６６】
方法２：第１ＭＭＥは、第２端末にサービスを提供する第２ＭＭＥによりＩＭＳサーバを使用することにより送信されるグローバルにユニークな一時識別子ＧＵＴＩ情報を受信し、ＧＵＴＩ情報に対応する第２ＭＭＥへ情報取得要求を送信し、第２ＭＭＥにより送信される第２基地局ＩＤ情報を受信する。
【００６７】
実施中、第２端末にサービスを提供するＭＭＥは、ＭＭＥが第２端末に割り当てるＩＤ  ＧＵＴＩを、ＩＭＳサーバを使用することにより第１ＭＭＥへ転送する。ＧＵＴＩ情報を受信すると、第１ＭＭＥは、ＩＤをパースすることにより、第２端末にサービスを提供するＭＭＥに関する情報を取得し、第２端末にサービスを提供する第２基地局のＩＤ情報を提供するようＭＭＥに要求して良い。
【００６８】
ステップ３０２：第１ＭＭＥは、第２基地局ＩＤを第１基地局へ送信して、第１基地局が、第１基地局と第２基地局ＩＤに対応する第２基地局との間の送信チャネルを確立できるようにする。ここで、送信チャネルは、第１端末から第２端末へ送信されるべきデータを受信すると、第２基地局へデータを送信するために第１基地局により使用される。
【００６９】
実施中、先ず、第１ＭＭＥは、第１端末が第２端末と直接通信できるか否か、つまり、第１端末と第２端末との間の通信データがコアネットワーク（Ｓ−ＧＷ及びＰ−ＧＷ）を使用することにより転送される必要があるか否かを決定する必要がある。データがコアネットワークを使用することにより転送される必要がある場合、処理を実行するために依然として現在のＬＴＥメカニズムが使用される。特定の処理手順は、ここで繰り返し記載されない。データがコアネットワークを使用することにより転送される必要がない場合、第２基地局ＩＤが第１基地局へ送信されて良い。第２基地局ＩＤを受信すると、第１基地局は、第１基地局と第２基地局ＩＤに対応する第２基地局との間に送信チャネルを確立して良い。第１基地局と第２基地局との間に送信チャネルを確立する処理については、実施形態１の関連する内容を参照することができ、ここで繰り返し記載されない。
【００７０】
第１ＭＭＥは、複数の方法を用いることにより、第１端末が第２端末と直接通信できるか否か、つまり、第１端末と第２端末との間の通信データがコアネットワークを使用することにより転送される必要があるか否かを決定して良い。例えば、第１端末にサービスを提供するＭＭＥが、第２端末にサービスを提供するＭＭＥと同じ場合、第１端末は第２端末と直接通信できる。その他の場合、データは、コアネットワークを使用することにより転送される必要がある。別の例では、第１基地局と第２基地局との間の距離は、何からの所定のアルゴリズムを使用することにより得られて良い。距離が所定閾より小さいとき、第１端末と第２端末との間のデータは、コアネットワークを使用することにより転送される必要はない。その他の場合、データは、コアネットワークを使用することにより転送される必要がある。
【００７１】
本発明の本実施形態では、第１ＭＭＥは、第２端末にサービスを提供する第２基地局の第２基地局ＩＤを取得して良く、第２基地局ＩＤを第１基地局へ送信する。したがって、第１ＭＭＥにより送信される第２基地局ＩＤを受信すると、第１基地局は、第１基地局は、第１基地局と第２基地局との間の送信チャネルを確立する。第１端末により送信されるデータを受信すると、第１基地局は、送信チャネルを介して第２端末へ該データを直接送信でき、もはやコアネットワーク（Ｓ−ＧＷ及びＰ−ＧＷ）を使用することによりデータを送信する必要がない。したがって、端末間の通信に対する遅延の影響が低減される。
【００７２】
実施形態３
本発明の本実施形態は、通信方法を提供する。当該方法は、第１ＭＭＥ及び第１基地局により一緒に実施されて良い。第１基地局は、第１端末にサービスを提供する基地局であって良く、第１ＭＭＥは、第１端末にサービスを提供するＭＭＥであって良く、第１端末は、目標ユーザとの通信を開始するユーザにより使用される端末であって良い。
【００７３】
図４に示すように、方法の処理手順は以下のステップを含み得る。
【００７４】
ステップ４０１：第１基地局は、第１端末により送信される通信要求を受信し、該通信要求をインターネットプロトコル・マルチメディア・サブシステムＩＭＳサーバへ送信する。
【００７５】
ステップ４０２：第１ＭＭＥは、第２端末にサービスを提供する第２基地局の第２基地局ＩＤを得る。
【００７６】
ステップ４０３：第１ＭＭＥは、第２基地局ＩＤを第１基地局へ送信する。
【００７７】
実施中、第１ＭＭＥが、第１端末と第２端末との間の通信データはコアネットワークを使用することにより転送される必要はないことを決定した場合、第１ＭＭＥは、第２基地局ＩＤを第１基地局へ送信して良い。第１ＭＭＥが、第１端末と第２端末との間の通信データはコアネットワークを使用することにより転送される必要があることを決定した場合、処理を実行するために現在のＬＴＥメカニズムが依然として使用されて良い。
【００７８】
ステップ４０４：第１基地局は、第１ＭＭＥにより送信される第２基地局ＩＤを受信し、第１基地局と第２基地局ＩＤに対応する第２基地局との間の送信チャネルを確立する。
【００７９】
ステップ４０５：第１基地局は、第１端末から第２端末へ送信されるべきデータを受信する。
【００８０】
ステップ４０６：第２基地局がデータを第２端末へ送信できるように、第１基地局は、送信チャネルを介して第２基地局へデータを送信する。
【００８１】
前述のステップ４０１からステップ４０６の特定の実施処理について、前述の実施形態１及び実施形態２の関連する内容が参照されて良く、詳細事項はここで繰り返し記載されない。
【００８２】
本発明の本実施形態では、第１ＭＭＥは、第２端末にサービスを提供する第２基地局の第２基地局ＩＤを取得して良く、第２基地局ＩＤを第１基地局へ送信する。したがって、第１ＭＭＥにより送信される第２基地局ＩＤを受信すると、第１基地局は、第１基地局は、第１基地局と第２基地局との間の送信チャネルを確立する。第１端末により送信されるデータを受信すると、第１基地局は、送信チャネルを介して第２端末へ該データを直接送信でき、もはやコアネットワーク（Ｓ−ＧＷ及びＰ−ＧＷ）を使用することによりデータを送信する必要がない。したがって、端末間の通信に対する遅延の影響が低減される。
【００８３】
実施形態４
本発明の本実施形態は、基地局を提供する。当該基地局は、実施形態１の第１基地局の動作を実行するよう構成される。図５に示すように、基地局は、第１移動性管理エンティティＭＭＥにより送信される第２基地局ＩＤを受信するよう構成される受信モジュール５１０と、基地局と第２基地局ＩＤ情報の中の第２基地局ＩＤに対応する第２基地局との間のデータ送信チャネルを確立するよう構成される確立モジュール５２０と、ここで、受信モジュール５１０は、第１端末から第２端末へ送信されるべきデータを受信するよう更に構成され、第２基地局が第２端末へデータを送信できるように、送信チャネルを介して第２基地局へデータを送信するよう構成される送信モジュール５３０と、を有する。
【００８４】
任意で、送信モジュール５３０は、第２基地局ＩＤを伝達する経路検出メッセージを近隣基地局にブロードキャストするよう更に構成され、受信モジュールは、近隣基地局により送信される応答メッセージを受信し、及び応答メッセージに従い第２基地局への送信経路を決定するよう更に構成され、応答メッセージは、チャネルのリンク品質情報、及び／又は第１基地局から第２基地局へのリンクの合計ホップ数に関する情報、を伝達し、確立モジュール５２０は、具体的には、決定された送信経路に基づき、基地局と第２基地局との間の送信チャネルを確立するよう構成される。
【００８５】
任意で、送信チャネルは、公衆送信チャネル又は専用送信チャネルである。
【００８６】
送信モジュール５３０は、具体的には、送信チャネルが公衆送信チャネルである場合、第２基地局が第２端末ＩＤに対応する第２端末へデータを送信できるように、送信チャネルを介して第２基地局へデータを送信し、又は送信チャネルが専用送信チャネルである場合、送信チャネルのチャネル識別子を得て、第２基地局がデータを第２端末へ送信できるように、チャネル識別子に対応する送信チャネルを介して、第２基地局へデータを送信する、よう構成される。
【００８７】
本発明の本実施形態は、ＭＭＥを提供する。当該ＭＭＥは、実施形態２の第１ＭＭＥの動作を実行するよう構成される。図６に示すように、ＭＭＥは、第２端末にサービスを提供する第２基地局の第２基地局ＩＤを得るよう構成される取得モジュール６１０と、第１基地局が第１基地局と第２基地局ＩＤに対応する第２基地局との間の送信チャネルを確立できるように、第２基地局ＩＤ情報を第１基地局へ送信するよう構成される送信モジュール６２０であって、送信チャネルは、第１端末から第２端末へ送信されるべきデータを受信すると、第２基地局へデータを送信するために第１基地局により使用される、送信モジュール６２０と、を有する。
【００８８】
任意で、ＭＭＥは、第２端末にサービスを提供する第２移動性管理エンティティＭＭＥによりＩＭＳサーバを使用することにより送信される第２基地局ＩＤ情報を受信するよう構成される受信モジュールを更に有し、取得モジュール６１０は、具体的には、第２基地局ＩＤ情報から第２基地局ＩＤを取得するよう構成される。
【００８９】
任意で、ＭＭＥは、第２端末にサービスを提供する第２ＭＭＥによりＩＭＳサーバを使用することにより送信されるグローバルにユニークな一時識別子ＧＵＴＩ情報を受信するよう構成される受信モジュールを更に有し、送信モジュール６２０は、ＧＵＴＩ情報に対応する第２ＭＭＥへ情報取得要求を送信するよう更に構成され、受信モジュールは、第２ＭＭＥにより送信される第２基地局ＩＤ情報を受信するよう更に構成され、取得モジュール６１０は、具体的には、第２基地局ＩＤ情報から第２基地局ＩＤを得るよう構成される。
【００９０】
本発明の本実施形態では、第１ＭＭＥは、第２端末にサービスを提供する第２基地局の第２基地局ＩＤを取得して良く、第２基地局ＩＤを第１基地局へ送信する。したがって、第１ＭＭＥにより送信される第２基地局ＩＤを受信すると、第１基地局は、第１基地局は、第１基地局と第２基地局との間の送信チャネルを確立する。第１端末により送信されるデータを受信すると、第１基地局は、送信チャネルを介して第２端末へ該データを直接送信でき、もはやコアネットワーク（Ｓ−ＧＷ及びＰ−ＧＷ）を使用することによりデータを送信する必要がない。したがって、端末間の通信に対する遅延の影響が低減される。
【００９１】
留意すべきことに、前述の実施形態において提供される通信装置が通信を実行するとき、前述の機能モジュールの分割のみを用いて説明が与えられた。実際には、機能は、必要に応じて実装のために異なる機能モジュールに割り当てられて良い。具体的には、装置の内部構造は、上述の機能の全部又は一部を実装するために異なる機能モジュールに分割される。さらに、上述の実施形態で提供された通信装置及び通信方法の実施形態は、同じ概念に関連する。特定の実装プロセスについては、方法の実施形態が参照されて良く、詳細はここで再掲されない。
【００９２】
実施形態５
本発明の本実施形態は、通信システムを更に提供する。当該システムは、第１端末、第２端末、第１基地局、第２基地局、及び第１ＭＭＥを有する。第１基地局は、実施形態１の第１基地局の動作を実行するよう構成され、第１ＭＭＥは、実施形態２の第１ＭＭＥの動作を実行するよう構成される。
【００９３】
第１基地局は、第１端末により送信される通信要求を受信し、インターネットプロトコル・マルチメディア・サブシステムＩＭＳサーバへ通信要求を送信し、第１移動性管理エンティティＭＭＥにより送信される第２基地局ＩＤ情報を受信し、第１基地局と第２基地局ＩＤ情報の中の第２基地局ＩＤに対応する第２基地局との間のデータ送信チャネルを確立し、第１端末が第２端末へ送信する通信データを受信すると、第２基地局が通信データを第２端末へ送信できるように、データ送信チャネルを介して第２基地局へ通信データを送信する、よう構成される。
【００９４】
第１ＭＭＥは、第２端末がアタッチされる第２基地局の第２基地局ＩＤを取得し、及び第２基地局ＩＤ情報を第１基地局へ送信する、よう構成される。
【００９５】
第１基地局は、第２基地局ＩＤを伝達する経路検出メッセージを近隣基地局にブロードキャストし、近隣基地局により送信される応答メッセージを受信し、及び応答メッセージに従い第２基地局への送信経路を決定し、応答メッセージは、チャネルのリンク品質情報、及び／又は第１基地局から第２基地局へのリンクの合計ホップ数に関する情報、を伝達し、決定された送信経路に基づき、第１基地局と第２基地局との間の送信チャネルを確立する、よう更に構成される。
【００９６】
任意で、送信チャネルは、公衆送信チャネル又は専用送信チャネルである。
【００９７】
第１基地局は、送信チャネルが公衆送信チャネルである場合、第２基地局が第２端末へデータを送信できるように、送信チャネルを介して第２基地局へデータを送信し、又は送信チャネルが専用送信チャネルである場合、送信チャネルのチャネル識別子を得て、第２基地局がデータを第２端末へ送信できるように、チャネル識別子に対応する送信チャネルを介して、第２基地局へデータを送信する、よう更に構成される。
【００９８】
第１ＭＭＥは、第２端末にサービスを提供する第２ＭＭＥによりＩＭＳサーバを使用することにより送信される第２基地局ＩＤ情報を受信するよう更に構成される。
【００９９】
第１ＭＭＥは、第２端末にサービスを提供する第２ＭＭＥによりＩＭＳサーバを使用することにより送信されるグローバルにユニークな一時識別子ＧＵＴＩ情報を受信し、ＧＵＴＩ情報に対応する第２ＭＭＥへ情報取得要求を送信し、第２ＭＭＥにより送信される第２基地局ＩＤ情報を受信する、よう更に構成される。
【０１００】
本発明の本実施形態では、第１ＭＭＥは、第２端末にサービスを提供する第２基地局の第２基地局ＩＤを取得して良く、第２基地局ＩＤを第１基地局へ送信する。したがって、第１ＭＭＥにより送信される第２基地局ＩＤを受信すると、第１基地局は、第１基地局は、第１基地局と第２基地局との間の送信チャネルを確立する。第１端末により送信されるデータを受信すると、第１基地局は、送信チャネルを介して第２端末へ該データを直接送信でき、もはやコアネットワーク（Ｓ−ＧＷ及びＰ−ＧＷ）を使用することによりデータを送信する必要がない。したがって、端末間の通信に対する遅延の影響が低減される。
【０１０１】
実施形態６
図７を参照すると、図７は、本発明の本実施形態に関連する基地局の概略構造図を示す。ここで、当該基地局は、前述の実施形態で提供された通信方法を実施するよう構成されて良い。
【０１０２】
具体的には、第１基地局は、受信機７１０、プロセッサ７２０、送信機７３０、及びメモリ７４０を有する。受信機７１０、送信機７３０、及びメモリ７４０は、プロセッサ７２０に別個に接続される。
【０１０３】
受信機７１０は、第１移動性管理エンティティＭＭＥにより送信される第２基地局ＩＤを受信するよう構成され、プロセッサ７２０は、基地局と第２基地局ＩＤ情報の中の第２基地局ＩＤに対応する第２基地局との間のデータ送信チャネルを確立するよう構成され、受信機７１０は、第１端末から第２端末へ送信されるべきデータを受信するよう更に構成され、送信機７３０は、第２基地局が第２端末へデータを送信できるように、送信チャネルを介して第２基地局へデータを送信するよう構成される。
【０１０４】
任意で、送信機７３０は、第２基地局ＩＤを伝達する経路検出メッセージを近隣基地局にブロードキャストするよう更に構成され、受信機７１０は、近隣基地局により送信される応答メッセージを受信し、及び応答メッセージに従い第２基地局への送信経路を決定するよう更に構成され、応答メッセージは、チャネルのリンク品質情報、及び／又は第１基地局から第２基地局へのリンクの合計ホップ数に関する情報、を伝達し、プロセッサ７２０は、具体的には、決定された送信経路に基づき、基地局と第２基地局との間の送信チャネルを確立するよう構成される。
【０１０５】
任意で、送信チャネルは、公衆送信チャネル又は専用送信チャネルである。
【０１０６】
送信機７３０は、具体的には、送信チャネルが公衆送信チャネルである場合、第２基地局が第２端末へデータを送信できるように、送信チャネルを介して第２基地局へデータを送信し、又は送信チャネルが専用送信チャネルである場合、送信チャネルのチャネル識別子を得るよう構成され、ここで、チャネル識別子は、第２基地局がデータを第２端末へ送信できるように、第１端末が第２端末へ送信するデータを受信すると、チャネル識別子に対応する送信チャネルを介して、第２基地局へデータを送信するために、第１基地局により使用される。
【０１０７】
本発明の本実施形態では、第１ＭＭＥにより送信される第２基地局ＩＤを受信すると、第１基地局は、第１基地局と第２基地局との間の送信チャネルを確立する。第１端末により送信されるデータを受信すると、第１基地局は、送信チャネルを介して第２端末へ該データを直接送信でき、もはやコアネットワーク（Ｓ−ＧＷ及びＰ−ＧＷ）を使用することによりデータを送信する必要がない。したがって、端末間の通信に対する遅延の影響が低減される
【０１０８】
実施形態７
図８を参照すると、図８は、本発明の本実施形態に関連するＭＭＥの概略構造図を示す。ここで、当該ＭＭＥは、前述の実施形態で提供された通信方法を実施するよう構成されて良い。
【０１０９】
具体的には、第１ＭＭＥは、受信機８１０、プロセッサ８２０、送信機８３０、及びメモリ８４０を有する。ここで、受信機８１０、送信機８３０、及びメモリ８４０は、プロセッサ８２０に別個に接続される。
【０１１０】
プロセッサ８２０は、第２端末にサービスを提供する第２基地局の第２基地局ＩＤを得るよう構成され、送信機８３０は、第１基地局が第１基地局と第２基地局ＩＤに対応する第２基地局との間の送信チャネルを確立できるように、第２基地局ＩＤを第１基地局へ送信するよう構成され、送信チャネルは、第１端末から第２端末へ送信されるべきデータを受信すると、第２基地局へデータを送信するために第１基地局により使用される。
【０１１１】
任意で、受信機８１０は、第２端末にサービスを提供する第２移動性管理エンティティＭＭＥによりＩＭＳサーバを使用することにより送信される第２基地局ＩＤ情報を受信するよう構成され、プロセッサ８２０は、具体的には、第２基地局ＩＤ情報から第２基地局ＩＤを取得するよう構成される。
【０１１２】
任意で、受信機８１０は、第２端末にサービスを提供する第２ＭＭＥによりＩＭＳサーバを使用することにより送信されるグローバルにユニークな一時識別子ＧＵＴＩ情報を受信するよう構成され、送信機８３０は、ＧＵＴＩ情報に対応する第２ＭＭＥへ情報取得要求を送信するよう更に構成され、受信機８１０は、第２ＭＭＥにより送信される第２基地局ＩＤ情報を受信するよう更に構成され、プロセッサ８２０は、具体的には、第２基地局ＩＤ情報から第２基地局ＩＤを得るよう構成される。
【０１１３】
本発明の本実施形態では、第１ＭＭＥは、第２端末にサービスを提供する第２基地局の第２基地局ＩＤを取得して良く、第２基地局ＩＤを第１基地局へ送信する。したがって、第１ＭＭＥにより送信される第２基地局ＩＤを受信すると、第１基地局は、第１基地局は、第１基地局と第２基地局との間の送信チャネルを確立する。第１端末により送信されるデータを受信すると、第１基地局は、送信チャネルを介して第２端末へ該データを直接送信でき、もはやコアネットワーク（Ｓ−ＧＷ及びＰ−ＧＷ）を使用することによりデータを送信する必要がない。したがって、端末間の通信に対する遅延の影響が低減される。
【０１１４】
当業者は、実施形態のステップの全部又は一部が、ハードウェア又は関連するハードウェアに指示するプログラムにより実装されても良いことを理解できる。プログラムは、コンピュータ可読記憶媒体に格納されて良い。記憶媒体は、読み出し専用メモリ、磁気ディスク、又は光ディスク、を含み得る。
【０１１５】
上述の説明は、本発明の単なる例示的な実施形態であり、本発明を制限することを意図しない。本発明の原理から逸脱することなく行われる変更、等価置換、及び改良は、本発明の保護範囲に含まれるべきである。
【図１】
0006408159.tif 000002
【図２】
0006408159.tif 000003
【図３】
0006408159.tif 000004
【図４】
0006408159.tif 000005
【図５】
0006408159.tif 000006
【図６】
0006408159.tif 000007
【図７】
0006408159.tif 000008
【図８】
0006408159.tif 000009